(57)【要約】【課題】  所定の周波数帯域の受信信号を受信処理した記録の中から、複数の信号を抽出し同時並行して再生する信号記録再生システムを得る。【解決手段】  記録再生部３０内において、記録データを記憶する記憶部３３に対する書き込み及び読み出しを含むアクセス制御処理の中から、データの読み出しの制御処理を独立させて、大量のデータ処理に対するアクセス制御の処理負荷を分散する。また、データの読み出しの制御処理においては、複数の異なる再生要求による読み出しに対して、データを多重化して読み出して時系列に出力することにより、読み出し速度の高速化を図る。そして、この多重化された信号データを分離して並列化後、それぞれの再生要求に対応させて復元し、複数の再生端末６０に出力する。【選択図】  図１
2017092828.tif 000002
【特許請求の範囲】
【請求項１】
受信処理された所定の周波数帯域の信号を記録しながら再生する信号記録再生システムにおいて、
受信処理された所定の周波数帯域の信号データを時間経過に沿って継続して受けとるとともに、この信号データから周波数帯域及び時刻を含む記録パラメータによって指定された信号データを選択して出力する分配選択部と、
前記分配選択部からの信号データを所定の記録用の書式に編集し、時系列の記録データを生成する記録入力部と、
前記記録入力部からの記録データを順次記録するとともに、これら記録の中から異なる再生パラメータで指定された特定の記録データを複数同時に多重化して抽出し、これを多重化再生データとして順次出力する記録再生部と、
前記記録再生部からの多重化再生データを多重分離し、再生データとして並列化するとともに、これらそれぞれの再生データ毎に前記再生パラメータに基づき再生処理を施して原信号を復元し、再生処理データとして出力する再生処理部と、
記録指示の操作を受けつけて、前記記録パラメータとして送出する管理端末と、
再生要求の操作を受けつけて、前記再生パラメータとして送出するとともに、この再生パラメータに対応した前記再生処理データを受けとって再生出力する複数の再生端末と
を備えたことを特徴とする信号記録再生システム。
【請求項２】
前記記録再生部は、
前記記録データを記憶する大容量の記憶部と、
この記憶部に前記記録データを順次書き込む書き込み制御部と、
前記記憶部内の記録データの中から、異なる前記再生パラメータで指定された特定の記録データを複数同時に多重化して抽出し、多重化再生データとして順次出力する読み出し制御部と
を備えたことを特徴とする請求項１に記載の信号記録再生システム。
【請求項３】
前記分配選択部は、前記所定の周波数帯域の信号データを複数の周波数帯域の信号データに分割し、前記記録パラメータによって指定された、これら分割後の周波数帯域の信号データを出力するとともに、
複数の前記記録再生部を備え、
これら複数の記録再生部のそれぞれは、前記記録パラメータに基づいて、前記分配選択部において複数の周波数帯域に分割された前記信号データのいずれかを記録する
ことを特徴とする請求項１、または請求項２に記載の信号記録再生システム。
【発明の詳細な説明】
【技術分野】
【０００１】
本発明の実施形態は、受信処理された所定の周波数帯域の信号を記録しながら再生する、信号記録再生システムに関する。
【背景技術】
【０００２】
従来より、到来する電波を受信処理して記録し、この記録を再生しながら分析等を行う受信システムが知られている。この種の受信システムでは、対象の周波数帯域の信号を受信処理してリアルタイムに記録するとともに、この記録を再生して受信信号環境を再現するための記録再生器等を備えている。
【０００３】
信号の記録に際しては、対象とする周波数帯域幅内の全ての信号環境を長時間にわたりリアルタイムに連続記録するため、継続的に大量の記録用信号データが発生する。また、記録された信号データの再生に際しては、受信時の信号環境がそのまま再現されるように、実時間と等速で再生を行って、後段の処理等に供する。このため、上記のような受信システムに適用されるような記録再生器等では、大量の信号データを記憶可能な大容量の記憶部を備え、且つリアルタイムで信号データを記録、及び再生するのに適したデータ転送速度を備えている。
【０００４】
また、対象とする周波数帯域幅が広い場合等においては、記録する信号データの発生量、ならびに記録再生器等の記憶容量及びデータ転送速度等に応じて、対象の周波数帯域を複数の周波数帯域に分割し、それぞれの帯域毎に１台の記録再生器等を割りあてる。そして、複数台の記録再生器等とそれら機器の制御機能とを備えた記録再生システムを構築することによって、所望の周波数帯域全体を網羅することもある。
【先行技術文献】
【特許文献】
【０００５】
【特許文献１】特開２００２−９０４３７号公報
【特許文献２】特開２０１３−２０６０１７号公報
【発明の概要】
【発明が解決しようとする課題】
【０００６】
ところで、上述のような受信システムにおいて記録された信号の分析を行う場合、対象の周波数帯域の記録の中から、所望する分析対象を抽出して多角的な視点から分析を行う。このような分析処理を実施する場面では、例えば、記録データ中の特定の時間範囲と周波数帯域幅とで示される領域の中から分析対象とする信号等を抽出し、再生しながら分析を試みるが、このときの分析対象は、必ずしも１つの信号だけとは限らず、複数の信号を同時に抽出して、これらを同時並行に再生しながら、複数の対象を分析する場合もある。また、同一の周波数帯域内で時刻や周波数の異なる領域に存在する異なる信号等を同時に抽出し、共に再生しながら複数の対象を分析する場合もあり、さらには、例えば、同一の周波数帯域を対象に、複数の分析要員等による同時並行した分析作業を実施する場合もある。すなわち、同一の時間範囲と周波数帯域とで示される領域内に記録された複数の信号等を、同時並行に抽出し再生することが求められる。
【０００７】
しかしながら、上記したような従来の記録再生器等においては、記録データの抽出速度が必ずしも十分ではなく、一つの記録再生器に記録された周波数帯域中から、分析用に複数の信号データを同時に抽出することは難しく、複数の分析対象を同時並行に分析したり、あるいは複数の分析要員で同時並行に分析作業を進めることいったことが困難なため、必ずしも効率の良い分析作業を行えなかった。このため、同一周波数帯域の複数の信号等を同時に再生するには、例えば、同一の周波数帯域を必要な並列数分、同時に記録するように、記録再生器、あるいは記録再生システムを構成することが必要となってしまい、装置規模の増大等に繋がっていた。このようなことから、装置規模を増大させることなく、所定の周波数帯域の受信信号の記録の中から複数の信号を同時に抽出して再生し、それぞれの信号に対する分析を同時並行に行うことのできる信号記録再生機能が望まれていた。
【０００８】
本発明の実施形態は、上述の事情を考慮してなされたものであり、所定の周波数帯域の受信信号を受信処理した記録の中から、複数の信号を抽出し同時並行して再生する信号記録再生システムを提供することを目的とする。
【課題を解決するための手段】
【０００９】
上記目的を達成するために、本実施形態の信号記録再生システムは、受信処理された所定の周波数帯域の信号を記録しながら再生する信号記録再生システムにおいて、受信処理された所定の周波数帯域の信号データを時間経過に沿って継続して受けとるとともに、この信号データから周波数帯域及び時刻を含む記録パラメータによって指定された信号データを選択して出力する分配選択部と、前記分配選択部からの信号データを所定の記録用の書式に編集し、時系列の記録データを生成する記録入力部と、前記記録入力部からの記録データを順次記録するとともに、これら記録の中から異なる再生パラメータで指定された特定の記録データを複数同時に多重化して抽出し、これを多重化再生データとして順次出力する記録再生部と、前記記録再生部からの多重化再生データを多重分離し、再生データとして並列化するとともに、これらそれぞれの再生データ毎に前記再生パラメータに基づき再生処理を施して原信号を復元し、再生処理データとして出力する再生処理部と、記録指示の操作を受けつけて、前記記録パラメータとして送出する管理端末と、再生要求の操作を受けつけて、前記再生パラメータとして送出するとともに、この再生パラメータに対応した前記再生処理データを受けとって再生出力する複数の再生端末とを備えたことを特徴とする。
【図面の簡単な説明】
【００１０】
【図１】本発明の実施形態に係る信号記録再生システムの第１の実施例の構成を示すブロック図。
【図２】記録再生部３０の構成の一例を示すブロック図。
【図３】再生処理部４０の構成の一例を示すブロック図。
【図４】図１に例示した信号記録再生装置１の動作を説明するためのフローチャート。
【図５】図１に例示した信号記録再生システムの変形例の構成を示すブロック図。
【発明を実施するための形態】
【００１１】
以下に、本発明の実施形態に係る信号記録再生システムを実施するための最良の形態について、図１〜図５を参照して説明する。
【実施例１】
【００１２】
図１は、本発明の実施形態に係る信号記録再生システムの第１の実施例の構成を示すブロック図である。この信号記録再生システム１は、分配選択部１０、記録入力部２０、記録再生部３０、再生処理部４０、管理端末５０、複数（ｎ）台の再生端末６０（＃１）〜６０（＃ｎ）、及び記録再生制御部７０から構成されている。
【００１３】
分配選択部１０は、あらかじめ設定された所定の周波数帯域の信号が外部にて受信処理されて、記録用として継続的に送られてくる信号データを、時間経過に沿って受けとるとともに、この信号データの中から、後述する管理端末５０からの記録パラメータによって指定された信号データを選択して、後段に出力する。管理端末５０からの記録パラメータ中には、記録対象の周波数帯域や時刻情報等が含まれており、分配選択部１０はこれらに該当する信号データを選択して出力する。
【００１４】
記録入力部２０は、分配選択部１０で選択された信号データを記録用の所定の書式に編集して、時系列の記録データを生成する。編集の際には、例えば信号データの再生時の基準となるリファレンス信号情報等を付加しながら、記録データを生成することもできる。
【００１５】
記録再生部３０は、記録入力部２０からの時系列の記録データを受けとって内部に順次記録するとともに、これら記録データの中から、後述する複数台の再生端末６０（＃１）〜６０（＃ｎ）のそれぞれからの、互いに異なる再生パラメータによって指定された記録データを多重化して同時に抽出し、時系列に出力する。これら再生パラメータには、再生対象の周波数または周波数帯域等の周波数情報や、時刻情報等を含んでいるものとしている。
【００１６】
この記録再生部３０について、図２を参照して詳述する。図２は、記録再生部３０の構成の一例を示すブロック図である。この図２の事例では、記録再生部３０は、書き込み制御部３１、読み出し制御部３２、及び記憶部３３を備えている。
【００１７】
書き込み制御部３１は、記録データの記憶部３３への書き込みを制御するインターフェイスであり、記録再生制御部７０からの記録パラメータに基づいて書き込み制御信号を生成し、記録データを記憶部３３に順次転送して書き込む。また、読み出し制御部３２は、記憶部３３からの記録データの読み出しを制御するインターフェイスであり、記録再生制御部７０からの複数の異なる再生パラメータに基づいて、それぞれに該当する記録データを同時に多重化して読み出すことによって高速化し、多重化再生データとして順次出力する。
【００１８】
記憶部３３は、書き込み制御部３１、及び読み出し制御部３２の制御に基づいて、記録データを記憶するとともに、記憶された記録データを出力する。記録データは、通常、大量に発生することが見込まれることから、記憶部３３は大きな記憶容量を備えており、例えば複数のハードディスクドライブやこれらをアレイ化して構成される。
【００１９】
このように記録再生部３０においては、記憶部３３に大量の記録データを書き込みつつ読み出す際に、記憶部３３へのアクセス制御において、記録データの書き込み制御と読み出し制御とをそれぞれ独立させ、記憶部３３へのアクセス制御のための処理負荷を分散している。また、特に読み出し制御においては、複数の異なる読み出しに対しては記録データを多重化して読み出している。これによって、読み出し速度を高速化することができ、複数の再生端末６０のそれぞれに対応した再生データの同時出力を可能にしている。
【００２０】
再生処理部４０は、記録再生部３０からの多重化再生データを分離して、複数の再生端末６０のそれぞれに対応した再生データに並列化するとともに、それぞれの再生データを再生パラメータに基づいて復元し、再生処理データとして対応する再生端末６０に送出する。再生処理部４０の構成の一例を図３のブロック図に示す。この図３の事例では、再生処理部４０は、並列化部４１、及び信号復元部４２を備えている。
【００２１】
並列化部４１は、記録再生部３０からの多重化再生データを、各再生端末６０（＃１）〜６０（＃ｎ）のそれぞれに対応した再生データに分離し、並列化して出力する。すなわち、記録再生部３０からの多重化再生データには、ｎ台の各再生端末６０からの再生要求に対応した再生データが、例えば１ライン上に多重化されているが、並列化部４１では、この１ライン上に多重化された再生データを再生端末６０（＃１）〜６０（＃ｎ）のそれぞれに対応させて分離し、ｎラインに並列化して出力する。信号復元部４２は、これら並列化された再生データのそれぞれを、対応する再生端末６０からの再生パラメータに基づき所定の再生処理を施して元の信号に復元し、再生処理データとして出力する。
【００２２】
管理端末５０は、操作員等による記録指示の操作を含む、本システムに対する各種の操作を受けつけるとともに、受けつけた記録指示の操作内容等を、後述する記録再生制御部７０に転送する。記録指示の操作では、例えば、記録対象の周波数帯域や時刻情報等が入力されるものとしている。
【００２３】
複数（ｎ台）の再生端末６０（＃１）〜６０（＃ｎ）は、いずれも同一に構成され、それぞれに操作員等による再生要求の操作を受けつけて、その操作内容を記録再生制御部７０に転送するとともに、再生処理部４０から再生要求に対応した再生処理データを受けとって視認可能な画面表示や聴音信号等、適切な形式で出力する。なお、再生要求は、複数の再生端末６０でそれぞれに異なる内容、及びタイミングで出力されるものとしている。
【００２４】
記録再生制御部７０は、管理端末５０からの記録指示、及び再生端末６０からの再生要求を受けとって、これらをそれぞれ、記録パラメータ、及び再生パラメータに編集し、本システム内の各部に送出する。また、本実施例においては、例えば各部の動作状況等を収集して、本システム全体の動作監視を行い、監視情報等を蓄積するものとしている
次に、前出の図１〜図３、ならびに図４のフローチャートを参照して、上述のように構成された本実施形態の信号記録再生システムの動作について説明する。図４は、図１に例示した信号記録再生装置１の動作を説明するためのフローチャートである。
【００２５】
まず、外部にて受信処理された所定の周波数帯域の信号データが、分配選択部１０に継続して送られてくる（ＳＴ４１）。これら信号データの中から、管理端末５０によって、記録対象の信号データが指示される。すなわち、例えば操作員等が、管理端末５０において対象の信号データを記録するための指示操作を行い、管理端末５０は、この操作を受けつける。操作の内容には、対象の信号データに関する周波数帯域等の信号諸元や、受信時刻等が含まれるものとしている。受けつけられた記録指示は、記録再生制御部７０に送られ、さらに記録再生制御部７０において記録パラメータに編集され、本システム内の各部に送出される（ＳＴ４２）。
【００２６】
次いで、この記録パラメータに基づいて、信号データが記録される。すなわち、記録パラメータに基づいて、分配選択部１０は、対象の信号データを選択し、記録入力部２０は、これらを記録データに編集して順次記録再生部３０に送出する。記録再生部３０は、この記録データを受けとって、自部内の書き込み制御部３１経由で記憶部３３に記憶する。このようにして、信号データの中から選択された対象のデータが、記録データとして時系列に継続して記録されていく（ＳＴ４３）。
【００２７】
一方、上記した記録動作が継続し時間が経過していく中で、複数の再生端末６０（＃１）〜（＃ｎ）から記録再生部３０に対して、記録された記録データの再生要求が発生する。すなわち、操作員等が対象の信号データの再生を要求するための操作を行い、再生端末６０は、それぞれに、これらの操作を受けつける。操作内容には、再生対象の信号データの周波数帯域等の諸元や時刻情報等が含まれており、それぞれの再生端末毎にその内容も、また再生要求の発生タイミングも異なるものとしている。受けつけられた再生要求は、それぞれに記録再生制御部７０に送られて再生パラメータとして編集され、各部に送出される（ＳＴ４４）。
【００２８】
次いで、これら再生パラメータに基づいて、記録データが、記録再生部３０から多重化されて読み出される。すなわち、記録再生部３０は、記録再生制御部７０からの再生パラメータを受けとって、複数の再生端末６０のそれぞれの再生要求に対応した記録データを読み出す。この読み出しの際には、異なる複数の再生パラメータでの読み出しの要求に対して、読み出し制御部３２は、記憶部３３から対象のデータを多重化して同時に読み出し、その読み出し速度を高速化している。このようにして記憶部３３から読み出された信号データは、多重化再生データとして時系列に出力される（ＳＴ４５）。
【００２９】
次いで、多重化再生データが分離されて、複数の再生端末６０のそれぞれの再生要求に対応した再生データに並列化され、再生処理が施される。すなわち、再生処理部４０は、記録再生部３０から１ラインに多重化されて送られてくる再生データを、並列化部４１において各再生端末６０のそれぞれに対応した再生データに分離して並列化する。そして、信号復元部４２において、並列化された再生データのそれぞれに対して、再生パラメータに基づいた所定の再生処理を施す。再生処理されて復元された信号は、再生処理データとして、それぞれ対応する再生端末６０に送出される（ＳＴ４６）。
【００３０】
次いで、再生処理データがそれぞれの再生端末６０に出力される。すなわち、再生処理部４０で処理後の再生処理データは、それぞれに対応する再生端末６０に送られるが、それぞれの再生端末６０は、この再生処理データを受けとって、聴音や視認可能な画面表示等、適切な手法や形式で再生出力する（ＳＴ４７）。そして、この後は、本システムの動作終了が指示されるまで、記録指示、及び異なる複数の再生要求を受け付けながら、上記した動作ステップを繰り返す（ＳＴ４８）。
【００３１】
以上説明したように、本実施形態においては、所定の周波数帯域の信号が受信処理された大量の信号データを書き込み、複数の信号データを同時読み出しする記録再生部３０内において、記録データを記憶する記憶部３３に対する書き込み及び読み出しを含むアクセス制御処理全体の中から、データの読み出しの制御処理を独立させて、大量のデータ処理に対するアクセス制御の処理負荷を分散している。また、独立させたデータの読み出しの制御処理においては、複数の異なる再生パラメータによる同時読み出しに対して、データを多重化して読み出して時系列に出力することにより、読み出し速度の高速化を図っている。そして、この多重化された信号データを分離して並列化後、それぞれの再生要求に対応させて復元し、複数の再生端末６０に出力している。
【００３２】
これにより、所定の周波数帯域の受信信号の記録の中から、所望する複数の信号を同時に抽出し、並行して再生することのできる信号記録再生システムを得ることができる。
【変形例】
【００３３】
図５は、図１に例示した信号記録再生システム１の変形例の構成を示すブロック図である。この図５の各部について、図１と同一の部分は同一の符号で示してある。この変形例の信号記録再生システム２が図１に例示した信号記録再生システム１と異なる点は、信号データを実際に記録する記録再生部の構成である。すなわち、図１に例示した信号記録再生システム１は、１台の記録再生部３０で構成し、所定の周波数帯域を記録・再生しているのに対して、この変形例の信号記録再生システム２は、複数（ｍ）台の記録再生部３０（＃１）〜３０（＃ｍ）で構成するとともに、外部から送られてくる受信処理された信号データの周波数帯域を、分配選択部１０ａにて複数（ｋ）の周波数帯域に分割し、分割した周波数帯域毎に、複数（ｍ）台の記録再生部３０（＃１）〜３０（＃ｍ）のいずれかを対応させて記録及び再生を行うようにした点である。以下、前出の図１〜図４、ならびに図５を参照して、同一の部分の説明は省略しその相違点を中心に簡潔に説明する。
【００３４】
図５に例示したように、この信号記録再生システム２は、分配選択部１０に替えて分配選択部１０ａ、及び複数（ｍ）台の記録再生部３０（＃１）〜３０（＃ｍ）を備えている。分配選択部１０ａは、外部から送られてくる所定の周波数帯域の信号データを受けとって、あらかじめ設定された、例えばより狭い複数（ｋ）の周波数帯域の信号データに分割するとともに、これら分割された周波数帯域の信号データの中から、記録パラメータによって指定された信号データを選択して出力する。
【００３５】
複数（ｍ）台の記録再生部３０（＃１）〜３０（＃ｍ）は、いずれも前出の実施例１の記録再生部３０と同一に構成されており、各記録再生部３０（＃１）〜３０（＃ｍ）は、それぞれに、記録パラメータによって指定された、分割後のいずれかの周波数帯域の信号データに対応した記録データを記録入力部２０から受けとって記録する。また、再生時は、各記録再生部３０（＃１）〜３０（＃ｍ）のそれぞれに対して、記録再生制御部４０から、複数の異なる再生端末６０（＃１）〜６０（＃ｎ）からの再生要求に基づく再生パラメータが送られ、各記録再生部３０（＃１）〜３０（＃ｍ）のそれぞれが、これらの再生パラメータによって指定された記録データを多重化して抽出し、時系列に出力する。
【００３６】
次に、信号記録再生システム２の動作について、図４に例示した信号記録システム１のフローチャートを参照して、その相違点のみを説明する。
【００３７】
信号記録再生システム２では、分配選択部１０ａにて受けとった信号データが、複数（ｋ）の周波数帯域に分割されるとともに、複数（ｍ）台の記録再生部３０（＃１）〜３０（＃ｍ）が設けられ、これらの各記録再生部３０（＃１）〜３０（＃ｍ）は、それぞれにｋ分割された周波数帯域の信号データの中のいずれか一つを扱う。このため、記録パラメータ、及び再生パラメータ中での周波数帯域に関する指定情報には、分割後の周波数帯域に対応した指定情報が用いられる。従って、記録パラメータ、及び再生パラメータを扱うＳＴ４２〜ＳＴ４６の動作ステップでは、この周波数帯域の指定情報が異なるが、その動作は実施例１における動作と特に相違はなく、全体の動作の流れとしても、図４と同様である。
【００３８】
このように、周波数帯域を複数に分割するとともに、記録再生部３０を複数設けることによって、より広い周波数帯域の信号データを記録しつつ、複数の異なる再生要求に対応することができる。
【００３９】
以上、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１、２  信号記録再生システム
１０、１０ａ  分配選択部
２０  記録入力部
３０  記録再生部
３１  書き込み制御部
３２  読み出し制御部
３３  記憶部
４０  再生処理部
４１  並列化部
４２  信号復元部
５０  管理端末
６０  再生端末
７０  記録再生制御部
【図１】
2017092828.tif 000003
【図２】
2017092828.tif 000004
【図３】
2017092828.tif 000005
【図４】
2017092828.tif 000006
【図５】
2017092828.tif 000007